(57)【特許請求の範囲】
【請求項１】
切り取り部を介して連接した貼着片と控片を備え、裏面に剥離域と接着域とを、所定位置で二つ折りしたときに接着域が剥離域と対接し、かつ接着域が露出しないよう設けた２枚のラベルを、一方のラベルの接着域が他方のラベルの剥離域と対向するよう裏面同士を重ね合わせてなり、各控片には剥離域のみを設ける一方、各貼着片における同一ラベルの控片との境界部分及び前記控片とは反対側部分には接着域を設けたことを特徴とする重ね合わせラベル。
【発明の詳細な説明】
【０００１】
【産業上の利用分野】
本発明は、重ね合わせラベルに関し、特に、重ね合わせたラベルを剥離可能になすとともに、剥離後の各ラベルを再接着し得る重ね合わせラベルに関する。
【０００２】
【従来の技術】
従来知られている一般的なラベルは、ラベルの裏面に各種接着剤による接着構造、あるいは接着力を調整した各種接着剤による剥離可能な接着構造を設けるとともに、この接着構造をシリコン処理等を施した剥離紙で被覆して構成されている。このため、従来の一般的なラベルにあっては、上述の如き各接着構造を被覆している剥離紙は、使用時には不要となるので廃棄しているが、この剥離紙にはシリコン処理等が施されているので、再生することが困難であり省資源化に反するという不都合がある。
【０００３】
この不都合を解消するものとして、既に、図４に示す重ね合わせラベルが提案されている。この重ね合わせラベル５０は、各ラベル５１，５２の対向面に、常時接着可能な粘着剤を塗布してなる接着域５３とシリコンを塗布してなる剥離域５４とを互いに対向させて交互に複数設けることにより、前記対向面を剥離可能に接着したものである。この重ね合わせラベル５０によると、確かに、従来の一般的なラベルが有していた不都合は解消される。
【０００４】
【発明が解決しようとする課題】
しかしながら、この重ね合わせラベル５０では、ラベル５１，５２を剥離した時に各接着域５３が露出し、これら接着域５３は常時接着可能な粘着剤からなるので、両ラベル５１，５２を同時に使用する場合は支障はないが、一方のラベルのみを使用し、他方のラベルは時間や場所を異にして使用する場合には、その接着域５３が他所に接着しないよう十分に注意を払わねばならず、取扱が容易でないという不都合がある。
【０００５】
また、使用しないラベル５１，５２の接着域５３が剥離域５４に対接するよう折り曲げて保管することが考えられるが、接着域５３と剥離域５４の配置パターンは各ラベル５１，５２の重ね合わせ状態のみを考慮して設定されている従来においては、接着域５３が露出しないように、かつ接着域５３同士が対接しないように折り曲げることは困難であるから、前述のように折り曲げて保管することは事実上不可能である。本発明は、これらの不都合を解消した重ね合わせラベルを提供することを目的とする。
【０００６】
【課題を解決するための手段】
この目的を達成するために本発明の重ね合わせラベルは、切り取り部を介して連接した貼着片と控片を備えるとともに、２枚のラベルの各裏面に剥離域と接着域とを、所定位置、例えばラベル中央や、貼着片の中央で、二つ折りしたときに剥離域と接着域とが対接し、かつ接着域が露出しないよう設けた２枚のラベルからなり、各ラベルの接着域が他方のラベルの剥離域と対向するよう裏面同士を重ね合わせてなるものである。
【０００７】
また、本発明の重ね合わせラベルは、各ラベルの控片には剥離域のみを設け、各ラベルの貼着片における同一ラベルの控片との境界部分及び前記控片とは反対側部分に接着域を設ける。
【０００８】
【作用】
重ね合わせラベルを剥離して一方のみを使用する場合には、残ったラベルを所定位置で二つ折りすれば、剥離域と接着域とが対接し、かつ接着域は露出しないので、他の部材等に接着する虞はない。また、各ラベルの控片に剥離域のみを設けたので、同様に他の部材等に接着する虞はなく、控片としての保管を含む使用が好適となる。さらに、各ラベルの貼着片における同一ラベルの控片との境界部分及び前記控片とは反対側部分に接着域を設けたので、貼着片を両端側で確実に接着することができる。
【０００９】
【実施例】
以下、本発明の好適な実施例を添付図面の図１〜図３に基づき詳細に説明する。ここにおいて、図１は第１実施例の斜視図、図２は第２実施例の断面図、図３は第３実施例の断面図である。
【００１０】
図１に示すように、重ね合わせラベル１は表ラベル２と裏ラベル３とからなり、前記表ラベル２は切り取り部たる切り用ミシン目４によって貼着片５と控片６に区画されている。貼着片５は商品ラベルとして使用されるもので、表出面には、品名、商品番号、規格等の商品情報７が印字されている。また、控片６の表出面には、商品情報控８が印字されている。一方、裏ラベル３も前記表ラベル２と同一の構成であり、切り取り部たる切り用ミシン目９によって貼着片１０と控片１１に区画され、各表出面には、図示してはいないが商品情報と商品情報控とが印字されている。
【００１１】
表ラベル２の貼着片５の裏面には、アクリル系二液架橋型の強粘着剤が塗布されてなる接着域１２ａ，１２ｂ，１２ｃと、シリコンが塗布されてなる剥離域１３ａ，１３ｂとが、帯状に交互に設けられ、控片６の裏面には、シリコンが塗布されてなる剥離域１３ｃが全面的に設けられている。これら接着域１２ａ，１２ｂ，１２ｃと、剥離域１３ａ，１３ｂ，１３ｃの配置パターンは、表ラベル２の中央である前記接着域１２ｂと前記剥離域１３ｂの境目で二つ折りすると、接着域１２ａと剥離域１３ｃ、接着域１２ｃと剥離域１３ａ、接着域１２ｂと剥離域１３ｂとがそれぞれ対接するように設定されている。そして、前記貼着片５の前記控片６との境界部分及び前記控片６とは反対側部分である裏面両端側には、接着域１２ｃ，１２ａが位置している。
【００１２】
一方、裏ラベル３の裏面側も、上述した表ラベル２と同一パターンでアクリル系二液架橋型の強粘着剤が塗布されてなる接着域１２ａ，１２ｂ，１２ｃと、シリコンが塗布されてなる剥離域１３ａ，１３ｂ，１３ｃとが設けられている。そして、各ラベル２，３は、接着域１２ａと剥離域１３ｃ、接着域１２ｃと剥離域１３ａ、接着域１２ｂと剥離域１３ｂとがそれぞれ対接するようにして重ね合わされている。
【００１３】
本実施例は以上のように構成したので、重ね合わせラベル１の常時接着力を備えた各ラベル２，３の接着域１２ａ，１２ｂ，１２ｃは他方のラベル３，２の剥離域１３ａ，１３ｂ，１３ｃと対接して被覆保護された状態にあり、剥離紙は不要となる。この重ね合わせラベル１を使用するにあたっては、表ラベル２を裏ラベル３から剥離し、控片６を切り用ミシン目４から切り離して、貼着片５を露出した各接着域１２ａ，１２ｂ，１２ｃによって、その表面に表示された商品情報７に対応する商品を収納した包装箱（図示せず）に貼付する。ここで、控片６の裏面は剥離域１３ｃとなっているので、その取扱は容易であり、また、貼着片５はその両端に位置する各接着域１２ａ，１２ｃによって、端部が確実に接着された状態となり、前記包装箱の取扱中に不用意に剥離することはない。
【００１４】
一方、残った裏ラベル３も同様に使用可能であるが、これを使用しない場合には、ラベル中央で二つ折りすると、接着域１２ｂと前記剥離域１３ｂの境目で二つ折りされ、接着域１２ａと剥離域１３ｃ、接着域１２ｃと剥離域１３ａ、接着域１２ｂと剥離域１３ｂとがそれぞれ対接して剥離可能に接着された状態となる。したがって、二つ折りした裏ラベル３は、各接着域１２ａ，１２ｂ，１２ｃが被覆保護されるので、他の部材に接着する虞はなく、また、接着面は剥離可能であるから、必要時に迅速に対応することができる。
【００１５】
続いて、図２に基づいて本発明の第２実施例を説明する。第２実施例の重ね合せラベル２１が第１実施例と相違するのは、接着域２７ａ，２７ｂ，２７ｃと剥離域２６ａ，２６ｂ，２６ｃの配置パターンだけであり、具体的には表ラベル２２と裏ラベル２３の各控片２４，２５の裏面に設けた剥離域２６ａに対応する各貼着片２８，２９の裏面には、接着域２７ａ，２７ｂのみならず剥離域２６ｃを設けた点である。その他の構成及び使用方法については、上述した第１実施例と同様であるから、対応する構成要素に同一の符号を付するにとどめ、詳細な説明は省略する。なお、本実施例では、各ラベル２２，２３の中央である接着域２７ｃと剥離域２６ｂとの境界で二つ折りされる。
【００１６】
次に、図３に基づいて本発明の第３実施例を説明する。第３実施例の重ね合せラベル３１が第１実施例と相違するのは、接着域３４ａ，３４ｂ，３４ｃと剥離域３５ａ，３５ｂ，３５ｃの配置パターンだけであり、具体的には表ラベル３２と裏ラベル３３の各貼着片３６，３７の裏面に設けた剥離域３５ｂ同士が互いの一部で対接する点である。このため本実施例では、各ラベル３２，３３の中央である剥離域３５ｂ部分を通る仮想線Ｘにおいて二つ折りされることになる。その他の構成及び使用方法については、上述した第１実施例と同様であるから、対応する構成要素に同一の符号を付するにとどめ、詳細な説明は省略する。
【００１７】
なお、本発明は上述した各実施例に限らず、例えば、貼着片５，１０，２８，２９，３６，３７と控片６，１１，２４，２５とは切り用ミシン目４，９を介して連接するほか、切り取り線によって区画形成してもよい。また、接着域１２ａ，１２ｂ，１２ｃ，２７ａ，２７ｂ，２７ｃ，３４ａ，３４ｂ，３４ｃと剥離域１３ａ，１３ｂ，１３ｃ，２６ａ，２６ｂ，２６ｃ，３５ａ，３５ｂ，３５ｃは帯状に限らず、市松状等に設けてもよい。さらに、本発明の重ね合せラベル１，２１，３１の用途が、商品の配送用ラベル以外にも適用できることはいうまでもない。
【００１８】
【発明の効果】
以上説明したところで明らかなように、本発明によれば、ラベルの全体あるいは貼着片のみを二つ折りして保管できるとともに、二つ折り状態から再剥離して露出した接着域で接着することができるので、重ね合わせラベルの一方のみを使用して他方のラベルを時間や場所を異にして使用する場合の取扱及び保管が容易であり、また、控片の裏面には接着域は存在しないので、その保管を含む使用が好適であり、さらには、貼着片を両端側に設けた接着域で確実に接着できるという効果を奏する。
【図面の簡単な説明】
【図１】  第１実施例の重ね合わせラベルを示す斜視図。
【図２】  第２実施例の重ね合わせラベルを示す断面図。
【図３】  第３実施例の重ね合わせラベルを示す断面図。
【図４】  従来の重ね合わせラベルを示す断面図。
【符号の説明】
１，２１，３１      重ね合わせラベル
２，２２，３２      表ラベル
３，２３，３３      裏ラベル
５，１０，２８，２９，３６，３７      貼着片
６，１１，２４，２５      控片
１２ａ，１２ｂ，１２ｃ，２７ａ，２７ｂ，２７ｃ，３４ａ，３４ｂ，３４ｃ      接着域
１３ａ，１３ｂ，１３ｃ，２６ａ，２６ｂ，２６ｃ，３５ａ，３５ｂ，３５ｃ      剥離域
【図１】
0003844524.tif 000002
【図２】
0003844524.tif 000003
【図３】
0003844524.tif 000004
【図４】
0003844524.tif 000005